(57)【要約】【課題】  映像装置において、簡易な構成によって、スイッチの操作量の検知の精度を向上させることにある。【解決手段】  スイッチ本体１に往復移動可能に装着されたスイッチ軸２と、スイッチ軸２に固定されかつスイッチ軸２に略垂直な方向に延びるガイド溝４を有するガイド部材３と、スイッチ本体１に回転自在に支持された一対の突起部７ａ及び７ｂと、ガイド溝４に沿って往復移動可能にガイド部材３に支持された突起部８とを有する反射板３と、発光素子９と、複数の受光素子１１ａ〜１１ｅと、スイッチ軸の移動量Δｙと各受光素子１１ａ〜１１ｅとを対応させたテーブルと、複数の受光素子１１ａ〜１１ｅからの信号とテーブルとに基づいて移動量Δｙを算出する移動量算出部とを備えることを特徴とする映像装置。【選択図】      図１
2005158586.tif 000002
【特許請求の範囲】
【請求項１】
ユーザからの操作を受け付けるスイッチを有する映像装置であって、
スイッチ本体と、
前記スイッチ本体に往復移動可能に装着されたスイッチ軸と、
前記スイッチ軸に固定されかつ前記スイッチ軸に略垂直な方向に延びるガイド溝を有するガイド部材と、
反射面を有する反射板本体と、前記反射板本体の互いに対向する側面にそれぞれ同一軸上に設けられかつ前記スイッチ本体に回転自在に支持された一対の第１及び第２突起部と、前記反射板本体の側面に形成されかつ前記ガイド溝に沿って往復移動可能に前記ガイド部材に支持された第３突起部とを有する反射板と、
前記反射面に向けて光を出力する発光素子と、
前記反射板からの反射光を検知して電気的な信号に変換する複数の受光素子と、
前記スイッチ軸の移動量と各受光素子とを対応させたテーブルと、
前記複数の受光素子からの信号と前記テーブルとに基づいて前記スイッチ軸の移動量を算出する移動量算出部とを備え、
前記反射板は、前記スイッチ軸の移動に連動して前記第３突起部が第１及び第２突起部を中心に回転することによって前記反射面の角度を変更し、
前記移動量算出部は、各受光素子からの信号に基づいてどの受光素子が前記反射光を検知したかを決定し、前記テーブルを参照して該受光素子に対応する前記移動量を算出することを特徴とする、映像装置。
【請求項２】
ユーザからの操作を受け付けるスイッチを有する映像装置であって、
スイッチ本体と、
前記スイッチ本体に往復移動可能に装着されたスイッチ軸と、
前記スイッチ軸の移動に連動して移動する反射板と、
前記反射板に向けて光を出力する発光素子と、
前記反射板からの前記反射光を検知して電気的な信号に変換する複数の受光素子と、
各受光素子からの信号に基づいて前記スイッチ軸の移動量を算出する移動量算出部と、を備えたことを特徴とする映像装置。
【請求項３】
前記スイッチ軸の移動量と各受光素子とを対応させたテーブルをさらに有しており、
前記移動量算出部は、各受光素子からの信号に基づいてどの受光素子が前記反射光を検知したかを決定し、前記テーブルを参照して該受光素子に対応する前記移動量を算出する、ことを特徴とする請求項２に記載の映像装置。
【請求項４】
前記反射板は、前記スイッチ軸の移動に連動して回転し、
前記反射板の回転に連動して前記反射光を検知する受光素子が変化することを特徴とする、請求項２又は３に記載の映像装置。
【請求項５】
前記スイッチ軸に固定されかつガイド溝を有するガイド部材をさらに備え、
前記反射板は、反射面を有する反射板本体と、前記反射板本体の側面に形成されかつ前記スイッチ本体に回転自在に支持された第１支持部材と、前記反射板本体の側面に形成されかつ前記ガイド溝に沿って往復移動可能に前記ガイド部材に支持された第２支持部材とを有し、
前記スイッチ軸の移動に連動して前記ガイド部材が移動し、前記ガイド部材の移動に連動して前記第２支持部材が前記第１支持部材を中心に回転することにより、前記反射板が回転することを特徴とする、請求項４に記載の映像装置。
【請求項６】
前記第１支持部材は、前記反射板本体の互いに対向する側面にそれぞれ同一軸上に設け
られた第１及び第２突起部であることを特徴とする、請求項５に記載の映像装置。
【請求項７】
前記反射板は、前記スイッチ軸に対して回転不能に固定されており、前記スイッチ軸の移動に連動して平行移動し、
前記反射板の移動に連動して前記反射光を検知する受光素子が変化することを特徴とする、請求項２又は３に記載の映像装置。
【請求項８】
ユーザからの操作を受け付けるスイッチであって、
スイッチ本体と、
前記スイッチ本体に往復移動可能に装着されたスイッチ軸と、
前記スイッチ軸の移動に連動して移動する反射板と、
前記反射板に向けて光を出力する発光素子と、
前記反射板からの前記反射光を検知して電気的な信号に変換する複数の受光素子と、
各受光素子からの信号に基づいて前記スイッチ軸の移動量を算出する移動量算出部と、を備えたことを特徴とするスイッチ。
【発明の詳細な説明】
【技術分野】
【０００１】
本発明は、映像装置、特に、ユーザからの操作を受け付けるスイッチを有する映像装置に関する。
【０００２】
また、本発明は、スイッチ、特に、ユーザからの操作を受け付けるスイッチに関する。
【背景技術】
【０００３】
ユーザからの操作を受け付けるスイッチの従来例が、例えば、特許文献１及び２に記載されている。特許文献１に記載されたスイッチでは、スイッチ軸としてのプランジャの先端に反射部を設け、反射部に対向する位置に一対の発光素子及び受光素子を配置している。この構成では、発光素子から出力した光を反射部で反射させ、その反射光を受光素子で受光している。ユーザからの操作に応じてプランジャが移動すると、その移動に連動して反射部の位置も移動するため、受光素子で検知する反射光の強度が変化し、その強度に応じてスイッチのＯＮ／ＯＦＦを検知している。特許文献２に記載されたスイッチは、特許文献１に記載された構造と略同一の構造を有し、発光素子の発光量を直接検知するモニタ用の受光素子をさらに設け、発光素子の発光量が一定になるようにフィードバック制御している。
【特許文献１】特開平２−３０９５１７号公報（第１−３頁、第１−５図）
【特許文献２】特開平２−１９２６２９号公報（第２−３頁、第１−２図）
【発明の開示】
【発明が解決しようとする課題】
【０００４】
ところで、テレビ受像機や映像再生装置等の映像装置では、ＯＮ／ＯＦＦの検知だけでなく、スイッチの操作量を多段階に検知し、操作量に基づいてよりきめ細かな制御を行いたい場合がある。上記構成において操作量を多段階に検知するためには、受光強度の閾値を複数設定し、受光強度と各閾値との大小関係を検知する必要があるが、操作量に対して反射光強度の変化が緩やかである場合には各閾値との大小関係を正確に検知することが困難である。また、特許文献２に記載されているように発光量を一定に保つようにフィードバック制御すれば、発光素子の発光量の個体間でのばらつきを抑制することは可能であるが、操作量に対する反射強度の変化が緩やかであれば各閾値との大小関係を正確に検知することは困難である。
【０００５】
本発明は、映像装置において、スイッチの操作量の検知の精度を向上させることにある。
【課題を解決するための手段】
【０００６】
第１発明に係る映像装置は、ユーザからの操作を受け付けるスイッチを有する映像装置であって、スイッチ本体と、スイッチ軸と、ガイド部材と、反射板と、発光素子と、複数の受光素子と、テーブルと、移動量算出部とを備えている。
【０００７】
スイッチ軸は、スイッチ本体に往復移動可能に装着されている。ガイド部材は、スイッチ軸に固定されかつスイッチ軸に略垂直な方向に延びるガイド溝を有している。反射板は、反射面を有する反射板本体と、反射板本体の互いに対向する側面にそれぞれ同一軸上に設けられかつスイッチ本体に回転自在に支持された一対の第１及び第２突起部と、反射板本体の側面に形成されかつガイド溝に沿って往復移動可能にガイド部材に支持された第３
突起部とを有している。発光素子は、反射面に向けて光を出力する。複数の受光素子は、反射板からの反射光を検知して電気的な信号に変換する。テーブルは、スイッチ軸の移動量と各受光素子とを対応させている。移動量算出部は、複数の受光素子からの信号とテーブルとに基づいてスイッチ軸の移動量を算出する。
【０００８】
この装置では、反射板は、前記スイッチ軸の移動に連動して第３突起部が第１及び第２突起部を中心に回転することによって反射面の角度を変更する。そして、移動量算出部は、各受光素子からの信号に基づいてどの受光素子が反射光を検知したかを決定し、テーブルを参照して該受光素子に対応する移動量を算出することを特徴とする。
【０００９】
この装置では、ユーザからの操作量であるスイッチの移動量に連動して反射板が回転し、それに連動して複数の受光素子のうちで反射光を検知する受光素子も変わるため、スイッチの移動量と反射光を検知する受光素子とを一対一に対応させることができる。従って、どの受光素子が反射光を検知するかによってスイッチの移動量を求めることができる。また、各受光素子が反射光を検知したか否かが分かれば良いので、発光素子の発光量のばらつきに影響され難い。また、発光素子の発光量のばらつきに影響され難いため、発光量を一定に保つためのフィードバック制御等が必要ない。また、各受光素子と移動量とを対応させたテーブルを有しているので、各発光素子からの信号に基づいてどの受光素子が反射光を検知したのかが分かれば、テーブルを参照してその受光素子に対応する移動量を簡単に求めることができる。また、ガイド部材、第１乃至第３突起部という簡易な構成によって、スイッチ軸の移動に連動して反射板が回転する構造を実現することができる。
【００１０】
この装置によれば、簡易な構成及び制御によって、スイッチの操作量の検知の精度を向上させることができる。
【００１１】
第２発明に係る映像装置は、ユーザからの操作を受け付けるスイッチを有する映像装置であって、スイッチ本体と、スイッチ本体に往復移動可能に装着されたスイッチ軸と、スイッチ軸の移動に連動して移動する反射板と、反射板に向けて光を出力する発光素子と、反射板からの反射光を検知して電気的な信号に変換する複数の受光素子と、各受光素子からの信号に基づいてスイッチ軸の移動量を算出する移動量算出部とを備えたことを特徴とする。
【００１２】
この装置では、ユーザからの操作量であるスイッチの移動量に連動して反射板が移動し、それに連動して複数の受光素子のうちで反射光を検知する受光素子も変わるため、スイッチの移動量と反射光を検知する受光素子とを一対一に対応させることができる。従って、どの受光素子が反射光を検知するかによってスイッチの移動量を求めることができる。また、各受光素子が反射光を検知したか否かが分かれば良いので、発光素子の発光量のばらつきに影響され難い。また、発光素子の発光量のばらつきに影響され難いため、発光量を一定に保つためのフィードバック制御等が必要ない。
【００１３】
この映像装置によれば、簡易な構成及び制御によって、スイッチの操作量の検知の精度を向上させることができる。
【００１４】
第３発明に係る映像装置は、第２発明に係る映像装置において、スイッチ軸の移動量と各受光素子とを対応させたテーブルをさらに有している。そして、移動量検出部は、各受光素子からの信号に基づいてどの受光素子が反射光を検知したかを決定し、テーブルを参照して該受光素子に対応する前記移動量を算出することを特徴とする。
【００１５】
この装置では、各受光素子と移動量とを対応させたテーブルを有しているので、各発光素子からの信号に基づいてどの受光素子が反射光を検知したのかが分かれば、テーブルを
参照してその受光素子に対応する移動量を簡単に求めることができる。
【００１６】
第４発明に係る映像装置は、第２又は第３発明に係る映像装置において、反射板は、スイッチ軸の移動に連動して回転する。そして、反射板の回転に連動して反射光を検知する受光素子が変化することを特徴とする。
【００１７】
この装置では、スイッチ軸の移動に連動させて反射板を回転させることによって、反射光を検知する受光素子が変化し、スイッチ軸の移動量と反射光を検知する受光素子とを一対一に対応させることができる。スイッチ軸の移動に対して、反射板の回転量が大きくなるように構成すれば、限られた空間で反射方向の変化範囲を大きく採ることが可能であり、省スペースで精度の高い検出が可能である。
【００１８】
第５発明に係る映像装置は、第４発明に係る映像装置において、スイッチ軸に固定されかつガイド溝を有するガイド部材をさらに備えている。反射板は、反射面を有する反射板本体と、反射板本体の側面に形成されかつスイッチ本体に回転自在に支持された第１支持部材と、反射板本体の側面に形成されかつガイド溝に沿って往復移動可能にガイド部材に支持された第２支持部材とを有している。そして、スイッチ軸の移動に連動してガイド部材が移動し、ガイド部材の移動に連動して第２支持部材が前記第１支持部材を中心に回転することにより、反射板が回転することを特徴とする。
【００１９】
この装置では、ガイド部材、第１及び第２支持部材という簡易な構成によって、スイッチ軸の移動に連動して反射板が回転する構造を実現することができる。
【００２０】
第６発明に係る映像装置は、第５発明に係る映像装置において、第１支持部材は、反射板本体の互いに対向する側面にそれぞれ同一軸上に設けられた第１及び第２突起部であることを特徴とする。
【００２１】
反射板本体と第１及び第２突起部とを樹脂等で一体形成することができ、コストダウンを図ることができる。
【００２２】
第７発明に係る映像装置は、第２又は第３発明に係る映像装置において、反射板は、スイッチ軸に対して回転不能に固定されており、スイッチ軸の移動に連動して平行移動する。そして、反射板の移動に連動して反射光を検知する受光素子が変化することを特徴とする。
【００２３】
この装置では、反射板をスイッチ軸に対して回転不能に固定することによって、反射板は傾きを一定に保った状態で平行移動するが、反射板の位置によって反射光の反射位置が変わるので、スイッチ軸の移動に連動して反射光を検知する受光素子が変化する。反射板をスイッチ軸に対して回転不能に固定するという簡易な構成により、スイッチ軸の移動量と反射光を検知する受光素子とを一対一に対応させることができる。
【００２４】
第８発明に係るスイッチは、ユーザからの操作を受け付けるスイッチであって、スイッチ本体と、スイッチ本体に往復移動可能に装着されたスイッチ軸と、スイッチ軸の移動に連動して移動する反射板と、反射板に向けて光を出力する発光素子と、反射板からの反射光を検知して電気的な信号に変換する複数の受光素子と、各受光素子からの信号に基づいてスイッチ軸の移動量を算出する移動量算出部とを備えたことを特徴とする。
【００２５】
このスイッチでは、ユーザからの操作量であるスイッチの移動量に連動して反射板が移動し、それに連動して複数の受光素子のうちで反射光を検知する受光素子も変わるため、スイッチの移動量と反射光を検知する受光素子とを一対一に対応させることができる。従
って、どの受光素子が反射光を検知するかによってスイッチの移動量を求めることができる。また、各受光素子が反射光を検知したか否かが分かれば良いので、発光素子の発光量のばらつきに影響され難い。また、発光素子の発光量のばらつきに影響され難いため、発光量を一定に保つためのフィードバック制御等が必要ない。
【００２６】
この映像装置によれば、簡易な構成によって、スイッチの操作量の検知の精度を向上させることができる。
【発明の効果】
【００２７】
本発明よれば、簡易な構成によって、スイッチの操作量の検知の精度を向上させることができる。
【発明を実施するための最良の形態】
【００２８】
（１）第１実施形態
〔構造〕
図１は、第１実施形態に係るスイッチの一部切欠き側面図である。このスイッチは、映像装置等の電気機器に適用される。スイッチ本体１と、スイッチ軸２と、ガイド部材３と、反射板５と、発光素子９と、受光素子群１１とを備えている。
【００２９】
スイッチ本体１は、略直方体形状の中空部材であり、上面に孔１ａを有している。スイッチ軸２は、棒状の部材であり、孔１ａを介してスイッチ本体１に挿入されている。スイッチ軸２の下部は、付勢部材としてのバネ１３を介してスイッチ本体１の底面に固定されている。バネ１３は、ユーザからの操作がない場合にスイッチ軸２が図１（ａ）に示す自由位置に位置するように付勢する。このときのスイッチ軸２の移動量Δｙ＝０とする。スイッチ軸２の上部にはボタン１２が固定されており、ボタン１２がユーザによって下方に押されると、スイッチ軸２はバネ１３の付勢力に抗して下方に移動する。
【００３０】
以下の説明では、スイッチ軸２の軸方向をｙ軸、ｙ軸に垂直な方向をｘ軸とし、ｙ軸を鉛直方向、ｘ軸を水平方向として説明する。但し、スイッチの配置の仕方によってはｙ軸及びｘ軸は互いに垂直な方向であれば任意の方向で良い。
【００３１】
ガイド部材３は、スイッチ軸２の側面に固定され、スイッチ軸２の軸方向に垂直な方向（水平方向）に延び、反射板３の側方まで延びている。ガイド部材３は、水平方向に延びるガイド溝４を有しており、ガイド溝４には後述する反射板３の突起部８が支持されている。ここでは、ガイド部材３及びガイド溝４は、スイッチ軸２の軸方向に垂直な方向に延びる場合を説明するが、スイッチ軸２の軸方向に垂直な方向から傾いた方向に延びる場合であっても良い。
【００３２】
反射板３は、図１及び図２（ａ）に示すように、互いに対向する主面６ａ及び６ｂと、主面６ａ及び６ｂに挟まれて互いに対向する側面６ｃ及び６ｄとを有する反射板本体６と、反射板本体６の互いに対向する側面６ｃ及び６ｄにそれぞれ同一軸上に設けられかつスイッチ本体１に回転自在に支持された一対の突起部７ａ及び７ｂと、反射板本体１の側面６ｃ及び６ｄに形成されかつガイド溝４に沿って往復移動可能にガイド部材３に支持された突起部８とを有している。主面６ａは、反射面であり、スイッチ軸２とは反対側に位置している。突起部７ａ及び７ｂは、それぞれ側面６ｃ及び６ｄから突出して同軸上に形成されている。突起部７ａ及び７ｂは、共通の軸線が主面６ａ及び６ｂの長辺を２等分するように形成されている。また、側面６ｃにおいて、突起部７ａから下方に離れた位置には、突起部８が側面６ｃから突出して形成されている。突起部８の長さは、突起部８が支持されるガイド部材３がスイッチ本体１の内壁面に接触せずに移動できるように、突起部７ａ及び７ｂの長さよりも短く形成されている。
【００３３】
また、反射板３の側面６ｂ及び６ｃ側に位置するスイッチ本体１の内壁面には、図２（ｂ）に示すような軸受部１４がそれぞれ設けられている。軸受部１４には、軸受面１５が形成されており、各内壁面の軸受部１４の軸受面１５に突起部７ａ及び７ｂが回転自在に挿入される。軸受面１５の開放部１５ａは、突起部７ａ及び７ｂの直径よりも小さく形成されている。突起部７ａ及び７ｂを軸受面１５に挿入する際には、突起部７ａ及び７ｂで開放部１５ａを押し広げるようにして挿入する。突起部７ａ及び７ｂは、軸受面１５に支持されて同図（ａ）の矢印Ａに示すように回転する。
【００３４】
また、突起部８は、ガイド部材３のガイド溝４に挿入されて支持される。図２（ｃ）は、突起部８をガイド部材３のガイド溝４に挿入して支持した様子を表す拡大図である。ガイド部材３はスイッチ軸２の側面に固定されているため、スイッチ軸２の上下移動に連動してガイド部材３も上下移動する。このとき、ガイド部材３によって突起部８も上下方向に移動するが、突起部７ａ及び７ｂが軸受部１４によって支持されているため突起部７ａ及び７ｂが軸受部１４内で回転する。これにより、突起部８は、ガイド部材３の上下運動によって上下方向に移動するとともにガイド溝４に沿って水平方向に移動（矢印Ｂ）することにより、突起部７ａ及び７ｂを中心に回転する。この結果、スイッチ軸２の上下移動によって、反射板３は突起部７ａ及び７ｂを中心に回転する（矢印Ｃ）。
【００３５】
発光素子９は、反射板３の主面６ａ（反射面）に対向するスイッチ本体１の内壁面に形成された固定部１０に固定されている。発光素子９は、指向性の高い半導体レーザが好ましい。発光素子９から出射された光は、主面６ａの中央に入射するように調整されている。受光素子群１１は、複数の受光素子１１ａ〜１１ｅから構成されており、各受光素子１１ａ〜１１ｅは１列に配置されている。各受光素子１１ａ〜１１ｅは、スイッチ軸２の上下移動によって反射板３が回転する範囲で反射光を受光できる位置に配置されている。各受光素子１１ａ〜１１ｅは、スイッチ軸２の移動量Δｙに対して何れかの受光素子１１ａ〜１１ｅに反射光が入射されるように、十分接近させて配置することが好ましい。受光素子の数及びそれらの配列間隔は、反射光の方向の変動範囲に応じて適宜選択すれば良い。
【００３６】
図３は、受光素子群１１による反射光の検知からスイッチ軸２の移動量を算出するための回路の構成例である。受光素子群１１の各受光素子１１ａ〜１１ｅは、互いに並列に接続されており、それぞれ、カソード側が高電位側ＶＣＣに接続されており、アノード側が抵抗器Ｒを介して基準電位ＶＳＳ（例えば接地電位）に接続されている。各受光素子１１ａ〜１１ｅのアノード側は、それぞれ比較器１６ａ〜１６ｅ（比較部１６）に接続されている。比較器１６ａ〜１６ｅは、各受光素子１１ａ〜１１ｅでの反射光の受光を検知するために所定の閾値が設定されている。比較器１６ａ〜１６ｅは、入力電位と閾値とを比較し、各受光素子１１ａ〜１１ｅからの電気的な信号を閾値と比較し、例えば、信号が閾値より大きければＬｏｗを出力し、信号が閾値未満であればＨｉｇｈを出力する。
【００３７】
移動量算出部１７は、比較器１６ａ〜１６ｅからの信号に基づいて反射光を受光した受光素子を決定し、テーブル１８を参照し、該受光素子に対応する移動量Δｙを算出する。
【００３８】
なお、各受光素子１１ａ〜１１ｅそれぞれからの電気信号を、比較器１６ａ〜１６ｅに入力する代わりに、直接または増幅（昇圧、降圧）して移動量算出部１７に入力し、移動量算出部１７において各受光素子１１ａ〜１１ｅからの信号を比較して反射光を受光した受光素子を決定するようにしても良い。
【００３９】
テーブル１８は、図４に示すように、反射光を受光する各受光素子１１ａ〜１１ｅとスイッチ軸２の移動量Δｙとを対応付けて保持している。テーブル１８は、スイッチ軸２の移動量Δｙと反射光を受光する各受光素子１１ａ〜１１ｅとの対応を実験により求め、予
め保持しておく。
【００４０】
〔作用効果〕
ユーザがボタン１２を操作していない状態では、図１（ａ）に示すように、ユーザの操作量であるスイッチ軸２の移動量はΔｙ＝０であり、反射板３のｙ軸からの傾きθ＝θ０である。ここでは、θ０を４５°とするが、４５°以外の角度であっても良い。発光素子９から出射した光は、反射板３の主面６ａで反射されて反射位置の真下にある受光素子１１ａに入射する。このとき、図３において、受光素子１１ａのみ導通し、受光素子１１ａのアノード側にのみ電圧が発生する。従って、比較器１６ａのみがＬｏｗを出力し、比較器１６ｂ〜１６ｅはＨｉｇｈを出力する。移動量算出部１７は、比較器１６ａ〜１６ｅからの信号に基づいて受光素子１１ａが反射光を検知したことを決定し、テーブル１７を参照し、受光素子１１ａに対応する移動量Δｙ＝０を出力する。
【００４１】
ユーザがボタン１２を下方に押すと、図１（ｂ）に示すように、スイッチ軸２及びガイド部材３が連動して下方に移動する。これにより、反射部３の突起部８は、ガイド部材３に連動して下方に移動するとともにガイド溝４内をスイッチ軸２から離れる方向に移動し、突起部７ａ及び７ｂを中心に紙面に向かって時計回り（図２（ａ）矢印Ａ）に回転し、反射板３のｙ軸からの傾きθはθ１（＜θ０）に減少する。この結果、発光素子９から出射された光の反射角も減少し、反射光が受光素子１１ｂに入射する。このとき、図３において、受光素子１１ｂのみ導通し、受光素子１１ｂのアノード側にのみ電圧が発生する。従って、比較器１６ｂのみがＬｏｗを出力する。移動量算出部１７は、比較器１６ａ〜１６ｅからの信号に基づいて受光素子１１ｂが反射光を検知したことを決定し、テーブル１７を参照し、受光素子１１ｂに対応する移動量Δｙ＝Δｙ１を出力する。
【００４２】
ユーザがボタン１２を押す量（操作量）の増大とともに、上記同様にして反射板３のｙ軸からの傾きが減少し、反射光は受光素子１１ｃ、１１ｄ、１１ｅに順番に入射する。受光素子１１ｃ、１１ｄ、１１ｅでの反射光の検知に従い、移動量算出部１７はテーブル１８を参照することによりそれぞれ移動量Δｙ＝Δｙ２、Δｙ３、Δｙ４を出力する。
【００４３】
本実施形態に係るスイッチによれば、スイッチ軸２の移動に連動して反射板３が回転することにより、反射光を検知する受光素子１１ａ〜１１ｅが順次変化するため、反射光を検知する受光素子１１ａ〜１１ｅとスイッチ軸２の移動量Δｙとを一対一に対応させることができる。従来の構成のように、反射光の強度の大きさに応じてスイッチ軸２の移動量Δｙを求めようとすると、発光素子９の個体間でのばらつきに影響され易い。一方、本実施形態では、スイッチ軸２の移動量Δｙに物理的に対応する位置に各受光素子１１ａ〜１１ｅを配置し、どの受光素子が反射光を検知したかに基づいて移動量Δｙを決定するので、各受光素子１１ａ〜１１ｅでは検知したか否かのみの判断が行えれば良く、発光素子９の個体間でのばらつきに影響されにくい。
【００４４】
また、発光素子９の発光量のばらつきに影響され難いため、発光量を一定に保つためのフィードバック制御等が必要ない。また、各受光素子１１ａ〜１１ｅと移動量Δｙとを対応させたテーブル１８を有しているので、各受光素子１１ａ〜１１ｅからの信号に基づいてどの受光素子が反射光を検知したのかが分かれば、テーブル１８を参照してその受光素子に対応する移動量Δｙを簡単に求めることができる。
【００４５】
このスイッチを映像装置に用いれば、簡易な構成によって、スイッチの操作量の検知の精度を向上させることができる。
【００４６】
上記スイッチを映像装置に用いる場合、スイッチによって実行される機能が例えば音量アップ又はダウン、チャンネルアップ又はダウン、早送り又は巻き戻し、画面の輝度調整
である場合には、スイッチ軸２の移動量Δｙを検知し、それに基づいて各機能の実行をよりきめ細やかに制御することが可能になる。具体的には、ユーザからの操作量がΔｙ＝Δｙ１である場合には音量アップ又はダウンのスピードをｖ１とし、Δｙ＝Δｙ２でｖ２（＞ｖ１）、Δｙ＝Δｙ３でｖ３（＞ｖ２）、Δｙ＝Δｙ４でｖ４（＞ｖ３）というように、操作量Δｙの増加に従い音量アップ又はダウンのスピードを増加させるようにしても良い。チャンネルアップ又はダウン等についても同様である。
【００４７】
また、ユーザの操作量Δｙによって機能実行の感度を変化させたい場合には、Δｙ＝Δｙ１〜Δｙ３では機能実行のスピードｖ１，ｖ２，ｖ３を緩やかに増加又は変化なしとし、Δｙ＝Δｙ４で機能実行のスピードｖ４をｖ３から大幅に増加させるようにしても良い。
【００４８】
また、移動量Δｙの検出精度を向上させる場合（検出感度を向上させる場合）には、検出精度を向上させたい移動量Δｙの範囲で受光素子の密度を高くすればよい。例えば、移動量Δｙが小さい範囲（０〜Δｙ２）で検出精度を向上させる場合には、図１に示す受光素子群１１においてスイッチ軸２に近い側にある受光素子の密度を高くすれば良い。
【００４９】
なお、本実施形態では、反射板３の回転中心である突起部７ａ及び７ｂを主面６ａ及び６ｂの長辺を二等分する位置に、作用点である突起部８を回転中心よりも下方に配置したが、突起部８を回転中心よりも上方に配置しても良い。この場合、スイッチ軸２の移動に伴う反射板３の回転方向が逆になり（反時計回り）、反射光が移動する方向も逆になるので、受光素子群１１を回転中心の位置からスイッチ軸２に近い側に配置する必要がある。
【００５０】
また、回転中心（突起部７ａ及び７ｂ）と作用点（突起部８）との間の距離を大きくするほど、スイッチ軸２の移動量Δｙに対する反射板３の傾きの変化も大きくなり、反射光の方向が変化する範囲も大きくなる。従って、スイッチ軸２の移動量が微小である場合に移動量Δｙの検出精度を向上させるには、回転中心と作用点との距離を大きくして反射方向の変化範囲を大きくすることが有効である。
【００５１】
また、回転中心（突起部７ａ及び７ｂ）は、反射板３の主面６ａ及び６ｂの長辺を二等分する位置にある必要はなく、他の位置にあっても良い。例えば、回転中心（突起部７ａ及び７ｂ）を一端部付近に設け、作用点（突起部８）を他端部付近に設ければ、反射板３の回転半径を大きくとることができる。
【００５２】
また、上記では、図３に示すように、各受光素子１１ａ〜１１ｅそれぞれからの電気信号を個々に比較したが、比較回路１６の代わりに、各受光素子１１ａ〜１１ｅそれぞれからの電気信号を直接または増幅（昇圧、降圧）して移動量算出部１７に入力し、移動量算出部１７においてどの受光素子１１ａ〜１１ｅからの電気信号が最大かを判断し、信号が最大である受光素子を「反射光を検知した受光素子」として決定しても良い。このようにすれば、発光素子９がＬＥＤ等であり隣接する受光素子で反射光を受光してしまう場合にも、受光量が最大の受光素子に基づいて移動量Δｙを求めることができる。
【００５３】
（２）第２実施形態
〔構造〕
図５は、第２実施形態に係るスイッチの一部切欠き断面図である。本実施形態が上記第１実施形態と異なる点は、反射板３が傾きを一定に保った状態で、スイッチ軸２の移動に連動してスイッチ軸２と同じ方向に平行移動する点である。
【００５４】
本実施形態に係る反射板３は、図６に示すように、互いに対向する主面６ａ及び６ｂと、主面６ａ及び６ｂに挟まれて互いに対向する側面６ｃ及び６ｄとを備えている。第１実
施形態と同様に、スイッチ軸２と反対側に配置された主面６ａが反射面である。主面６ｂの中央付近には棒状の固定部材３ａの一端が固定されており、固定部材３ａの他端がスイッチ軸２に固定されている。即ち、反射板３は、固定部材３ａによってスイッチ軸２に対して回転不能に固定されている。固定の方法は、反射板３がスイッチ軸２に対して回転不能に固定される方法であれば、他の方法であっても良い。
【００５５】
受光素子群１１での受光に基づいて移動量Δｙを算出する回路の構成は、図３及び図４と同様である。
【００５６】
〔作用効果〕
ユーザがボタン１２を操作していない状態では、図５（ａ）に示すように、スイッチ軸２の移動量Δｙ＝０であり、反射板３のｙ軸からの傾きはθ＝θ０（例えば４５°）である。従って、発光素子９から出射した光は、反射板３の主面６ａで反射されて反射位置の真下にある受光素子１１ａに入射する。このとき、受光素子１１ａのみが導通し、比較器１６ａのみからＬｏｗが出力され、他の比較器からはＨｉｇｈが出力される。移動量算出部１７は、比較器１６ａ〜１６ｅからの信号に基づいて受光素子１１ａが反射光を検知したことを決定し、テーブル１７を参照し、受光素子１１ａに対応する移動量Δｙ＝０を出力する。
【００５７】
ユーザがボタン１２を下方に押すと、図５（ｂ）に示すように、スイッチ軸２が下方に移動するとともに、反射板３が傾きをθ＝θ０に保った状態で下方に平行移動する。これにより、発光素子９からの光の反射位置が同図（ａ）の場合よりも外側上方にずれて、反射光は受光素子１１ｂに入射される。このとき、受光素子１１ｂのみが導通し、比較器１６ｂのみがＬｏｗを出力する。移動量算出部１７は、比較器１６ａ〜１６ｅからの信号に基づいて受光素子１１ｂで反射光を検知したことを決定し、テーブル１８を参照し、受光素子１１ｂに対応するスイッチ軸２の移動量Δｙ＝Δｙ１を出力する。
【００５８】
ユーザがボタン１２を押す量（操作量）の増大とともに、上記同様にして反射板３が下方に平行移動し、光の反射位置が外側上方に向かって移動し、反射光は受光素子１１ｃ、１１ｄ、１１ｅに順番に入射されるようになる。受光素子１１ｃ、１１ｄ、１１ｅでの反射光の受光に従い、移動量算出部１７はテーブル１８を参照することによりそれぞれ移動量Δｙ＝Δｙ２、Δｙ３、Δｙ４を出力する。
【００５９】
本実施形態に係るスイッチでは、スイッチ軸２の移動に連動して反射板３を回転させる機構の代わりに、反射板３をスイッチ軸２に回転不能に固定して平行移動させる構成としたことにより、より簡易な構成で、上記第１実施形態と同様の作用効果を奏する。
【図面の簡単な説明】
【００６０】
【図１】第１実施形態に係るスイッチの一部切欠き側面図。
【図２】反射板の構造を説明する図。
【図３】スイッチの操作量を検出するための回路構成。
【図４】テーブルのデータ構成例。
【図５】第２実施形態に係るスイッチの一部切欠き側面図。
【図６】反射板の構造を説明する図。
【符号の説明】
【００６１】
１  スイッチ本体
２  スイッチ軸
３  ガイド部材
４  ガイド溝
５  反射板
６  反射板本体
７ａ、７ｂ  突起部（回転中心）
８  突起部（作用点）
９  発光素子
１０  固定部材
１１  受光素子群
１２  ボタン
１３  バネ
１４  軸受部
１５  軸受面
１５ａ  開放部
１６  比較部
１７  移動量算出部
１８  テーブル
【図１】
2005158586.tif 000003
【図２】
2005158586.tif 000004
【図３】
2005158586.tif 000005
【図４】
2005158586.tif 000006
【図５】
2005158586.tif 000007
【図６】
2005158586.tif 000008